(57)【要約】【課題】かご室の意匠面を保護する保護シート３ａを収納する保護シート収納部４を備えると共に、意匠性が良く、省スペース化されたエレベータかご室を提供する。【解決手段】エレベータかご室は、かご室天井２の周縁部との間に隙間８を設けて配置されるかご室壁１と、かご室壁１の上に配置されると共にかご室壁１の表面を覆う保護シート３ａが収納される保護シート収納部４とを備える。保護シート収納部４は、かご室壁１の厚さ以下である断面Ｃ字状の取付部材と、取付部材の断面Ｃ字状の内部に設けられた円柱状のローラとを有する。ローラには保護シート３ａが巻かれ、取付部材は断面Ｃ字状の開口側が隙間８の位置する方に向けて配置される。保護シート３ａは取付部材の断面Ｃ字状の開口部を通して隙間８から垂下され、かご室壁１の意匠面は保護シート３ａにより覆われて保護される。【選択図】図３
2009249119.tif 000002
【特許請求の範囲】
【請求項１】
エレベータかご室において、
天井を構成する天井板と、
前記エレベータかご室の壁を構成すると共に前記天井板の周縁部との間に隙間を有して縦置きされるかご室壁材と、
前記かご室壁材の上端部に配置されると共に、前記隙間から垂下されて前記かご室壁材のエレベータかご室内部側を覆う保護シートが収納される保護シート収納部と
を備えたことを特徴とするエレベータかご室。
【請求項２】
前記保護シート収納部は、前記かご室壁材の厚さ方向において前記かご室壁材からはみ出ずに前記かご室壁材の上端部に配置される
ことを特徴とする請求項１記載のエレベータかご室。
【請求項３】
前記保護シート収納部は、
前記かご室壁材の厚さ方向と直交する前記かご室壁材の幅方向に沿って前記かご室壁材の上端部に取り付けられる断面Ｃ字状の長尺の取付部材と、
前記取付部材の断面Ｃ字状の内部において前記取付部材の長さ方向を回転軸として回転する円柱状のローラと
を有し、
前記ローラは、前記保護シートが巻かれ、
前記保護シートは、前記取付部材の断面Ｃ字状の開口部を通して前記隙間から垂下される
ことを特徴とする請求項１〜請求項２いずれかに記載のエレベータかご室。
【請求項４】
前記天井板は、
前記周縁部に段差を有し、
前記周縁部の前記段差の上段を構成すると共に前記保護シート収納部の前記取付部材の上部と固定される天井板取付部と、前記周縁部の前記段差の下段を構成すると共にエレベータかご室内部において前記取付部材の下部以下の高さに配置される天面部とを有する
ことを特徴とする請求項３記載のエレベータかご室。
【請求項５】
請求項１〜請求項４いずれかに記載のエレベータかご室を備えたエレベータ装置。
【発明の詳細な説明】
【技術分野】
【０００１】
本発明は、例えば、保護シート収納部を備えるエレベータかご室およびエレベータ装置に関するものである。
【背景技術】
【０００２】
エレベータかご室の内面（以下、意匠面という）は搬入物の衝突などによって傷つくことがある。これを回避するためにかご室壁の意匠面を保護する保護装置が設けられたものがある。
【特許文献１】特開２００６−０３６４４２号公報
【特許文献２】特開２００２−３０８５５０号公報
【特許文献３】実開平１−１７４３８１号公報
【発明の開示】
【発明が解決しようとする課題】
【０００３】
特許文献１に開示されているかご室は、保護シート収納部（ローラ）がかご室内に露出して設置されているため意匠性が損なわれている。
【０００４】
特許文献２では、かご室壁外側から昇降路側に突き出して収納装置が設けられ、収納装置内にローラで巻き取られた保護幕が収納されている。また、かご室壁にスリットが設けられ、収納装置内においてスリット近傍に設けられた補助ローラを介してローラからの保護幕の繰り出し方向を変え、かご室内部に対して保護幕が出し入れされる。
特許文献２に開示されているかご室は、ローラがかご室内から視認できないようになっているが、かご室壁に設けられたスリットが意匠性を損なっている。さらに、収納装置が昇降路側に突き出ているため、昇降路内に配置されている機器との干渉が懸念される。
特許文献３も同様に、収納装置がかご室の外側に設置されると共に、かご室壁にスリットが設けられている。
【０００５】
本発明は、例えば、かご室の意匠面を保護する保護装置を備えると共に、意匠性が良く、さらに、省スペース化されたエレベータかご室を提供できるようにすることを目的とする。
【課題を解決するための手段】
【０００６】
本発明のエレベータかご室は、天井を構成する天井板と、前記エレベータかご室の壁を構成すると共に前記天井板の周縁部との間に隙間を有して縦置きされるかご室壁材と、前記かご室壁材の上端部に配置されると共に、前記隙間から垂下されて前記かご室壁材のエレベータかご室内部側を覆う保護シートが収納される保護シート収納部とを備える。
【発明の効果】
【０００７】
本発明によれば、保護シート収納部がかご室壁材の上に配置されることにより、例えば、意匠性が良く、省スペース化されたエレベータかご室を提供することができる。
【発明を実施するための最良の形態】
【０００８】
実施の形態１．
図１は、実施の形態１におけるエレベータのかご室１０の内部を示す図である。
図２は、実施の形態１における保護シート３が引き出されたエレベータのかご室１０の内部を示す図である。
保護シート３によるエレベータのかご室１０の内部の保護方法について、図１および図２に基づいて以下に説明する。
【０００９】
図１および図２は、かご室１０のドア側から見たかご室１０内部を示している。
かご室１０内部は、ドア側から見て正面、左側面および右側面の３方のかご室天井２（天井板）からかご室床１１までをかご室壁１（かご室壁材）により囲われている。
かご室天井２には照明器具１２が設けられ、また、かご室天井２とかご室壁１との間には数センチメートル程度の隙間８（スリット）が設けられている。
【００１０】
図２に示すように、保護シート３は隙間８から下方に引き出され、かご室壁１の下側に貼付され、かご室壁１の意匠面を保護する。
【００１１】
隙間８は、かご室天井２部分に設けられているため、乗客の視野に入らない。これにより、かご室壁１が保護されると共に意匠性が保たれる。
【００１２】
図３は、実施の形態１におけるかご室１０のかご室壁１側の断面図であり、図２のＡ−Ａ断面図である。
実施の形態１における保護シート収納部４の設置場所について、図３に基づいて以下に説明する。
【００１３】
図３は、かご室１０のドアから見て正面に位置するかご室壁１側の断面を左側方から示している。
かご室壁１のパネルは、かご室１０の軽量化を図ると共に一定の強度を確保するために、意匠面の周端部においてＵ字状に折り曲げ加工され、３〜５ｃｍ（センチメートル）程度の厚さを有し、かご室天井２の周縁部との間に隙間８を有して縦置きされる。
保護シート３ａが収納される保護シート収納部４は、かご室壁１の厚みを利用してかご室壁１の上に設置される。保護シート収納部４の奥行は、かご室壁１の厚さ以下（かご室壁１の厚さと同程度）である。そして、保護シート収納部４は、かご室壁１の厚さ方向において昇降路側およびかご室内部側にはみ出ていない。
保護シート収納部４には、かご室壁１の上部から下部までを覆う長さ２〜３ｍ（メートル）程度の保護シート３ａが巻き取られて収納される。
【００１４】
かご室１０のドアから見て左側面および右側面も図３と同じ構造である。
【００１５】
保護シート収納部４は、昇降路側に突き出ないため、昇降路内に配置される機器と接触するなどして干渉することがない。また、保護シート収納部４がかご室内部に突き出ないため、かご室天井２の意匠性を確保することができる。
【００１６】
図４は、実施の形態１における保護シート収納部４の断面図であり、図３のＢ部拡大図である。
図５は、実施の形態１における保護シート収納部４の正面図であり、図３のＣ−Ｃ断面図である。
実施の形態１における保護シート収納部４の詳細について、図４および図５に基づいて以下に説明する。
【００１７】
保護シート収納部４は、保護シート３ａが巻かれる円柱状のローラ４ａと、ローラ４ａを回転支持するローラ支持部材５と、下面がかご室壁１に固定され、内部にローラ支持部材５が固定される取付部材６とを備える。
【００１８】
取付部材６は、１面が開口している箱形状の横長直方体であり、開口面がかご室天井２の結合部２ｃに向けられ、下面がかご室壁１の幅方向に沿ってかご室壁１の上面に固定されると共に上面がかご室天井２の天井板取付部２ａに固定される。
但し、取付部材６は、箱形状でなくても構わず、幅方向に開口しているスリットを有する円筒状、三角筒状または多角筒状であっても構わない。
取付部材６は、断面Ｃ字状（コ字状、横向きＵ字状）であり、断面Ｃ字状の開口部が隙間８側に向けて配置される。
保護シート３ａは、取付部材６の断面Ｃ字状の開口部を通して隙間８から垂下される。
【００１９】
ローラ４ａは、両端がローラ支持部材５に回転可能に支持され、取付部材６の幅方向（横長方向）を回転軸として回転し、保護シート３ａを巻き取り、または、保護シート３ａを隙間８から下方に送り出す。
【００２０】
保護シート収納部４、保護シート３ａおよびローラ支持部材５は、ロールスクリーン構造であり、スプリング（図示省略）により保護シート３ａが自動的に巻き取られる。
【００２１】
かご室天井２は、天井板取付部２ａ、天面部２ｂおよび結合部２ｃにより、かご室壁１側の周縁部に段差を有する。
天井板取付部２ａは、周縁部の段差の上段を構成すると共に、保護シート収納部４の取付部材６の上面と固定される。
天面部２ｂは、周縁部の段差の下段を構成する。天面部２ｂは、かご室１０内部に面し、照明器具１２が取り付けられる（図２、３参照）。
結合部２ｃは、図４に示すように、断面略垂直に伸張しており、上端で天井板取付部２ａと略直角に結合すると共に下端で天面部２ｂと略直角に結合する。
結合部２ｃは、取付部材６以上の高さを有し、天面部２ｂは、取付部材６の下面以下の高さ（かご室壁１の上面以下の高さ）に配置される。これにより、乗客からは保護シート収納部４の内部は視認されず、かご室１０内部の意匠性を維持することができる。
【００２２】
図６は、実施の形態１におけるかご室壁１の床側の断面図であり、図３のＤ部拡大図である。
図７は、実施の形態１における保護シート収納部４の断面図であり、保護シート３ａを巻き取ったときの図３のＢ部拡大図である。
実施の形態１における保護シート３ａの引き出しおよび巻き取りについて、図３、図６および図７に基づいて以下に説明する。
【００２３】
図３において、利用者は、かご室１０内部のかご室壁１を保護したい場合、隙間８から保護シート３ａの先端部を引き下ろし、引き下ろした保護シート３ａの先端部をかご室壁１の下部に留める（貼付する）。
ローラ４ａに巻き取られた状態の保護シート３ａは、後述するように、先端部が隙間８部分に留められており（図７参照）、利用者は、隙間８部分から保護シート３ａの先端部を外して、保護シート３ａの先端部を引き下ろす。
また、利用者による保護シート３ａの引き下ろしを容易にするために、保護シート３ａは先端部にわっか上の取っ手部を備えてもよい。このとき、利用者は、先端がかぎ状（Ｕ字状、Ｌ字状）に曲がった引っ掛け棒の先端に保護シート３ａの取っ手部を引っ掛け、保護シート３ａの先端部を隙間８部分から外し、引っ掛け棒を引き下ろすことにより保護シート３ａの先端部を引き下ろす。
【００２４】
図６に示すように、保護シート３ａの先端部には磁石７が取り付けられており、保護シート３ａの磁石７は金属製のかご室壁１に吸着する。
【００２５】
図６において、かご室壁１とかご室床１１の床嵌合部１１ａとの間にはポップナット１３により通気口が設けられている。
また、床嵌合部１１ａにはステンレス製の板材１４が嵌め合わされている。
【００２６】
利用者は、保護シート３ａを保護シート収納部４内に巻き戻す場合、保護シート３ａの先端の磁石７をかご室壁１から引き離し、保護シート３ａの先端部を一度少し引き下げる。
この引き下げ動作により、ローラ４ａのロックが外れ、スプリングの力によってローラ４ａが回転し、保護シート３ａが巻き上げられる。
利用者は、保護シート３ａが隙間８部分まで巻き上げられたときに、保護シート３ａの先端の磁石７を図７に示すように隙間８部分に吸着させる。
【００２７】
エレベータ装置は、上記で説明したかご室１０を用いることにより、保護シート収納部４が昇降路側に突き出さないため、昇降路に保護シート収納部４分のスペースを確保することを要せず、省スペース化される。
【図面の簡単な説明】
【００２８】
【図１】実施の形態１におけるエレベータのかご室１０の内部を示す図。
【図２】実施の形態１における保護シート３が引き出されたエレベータのかご室１０の内部を示す図。
【図３】実施の形態１におけるかご室１０のかご室壁１側の断面図。
【図４】実施の形態１における保護シート収納部４の断面図。
【図５】実施の形態１における保護シート収納部４の正面図。
【図６】実施の形態１におけるかご室壁１の床側の断面図。
【図７】実施の形態１における保護シート収納部４の断面図。
【符号の説明】
【００２９】
１  かご室壁、２  かご室天井、２ａ  天井板取付部、２ｂ  天面部、２ｃ  結合部、３，３ａ  保護シート、４  保護シート収納部、４ａ  ローラ、５  ローラ支持部材、６  取付部材、７  磁石、８  隙間、１０  かご室、１１  かご室床、１１ａ  床嵌合部、１２  照明器具、１３  ポップナット、１４  板材。
【図１】
2009249119.tif 000003
【図２】
2009249119.tif 000004
【図３】
2009249119.tif 000005
【図４】
2009249119.tif 000006
【図５】
2009249119.tif 000007
【図６】
2009249119.tif 000008
【図７】
2009249119.tif 000009